(57)【要約】【課題】時間および消耗品の無駄な消費を極力少なく抑制する試し印刷機能を実現することができる印刷システムの制御方法を提供する。【解決手段】操作部１５０の画面上で、試しプリントする枚数を自動設定にするか、マニュアル設定にするか、全ページを対象にするかの指定が行われる（図９）。ここで、マニュアル設定が選択されている場合は、テンキーにより枚数が設定される。このマニュアル設定がされた場合（ステップＳ１１３）は、マニュアル設定されたページ数分だけの印刷が行われる（ステップＳ１１４）。【選択図】図１１
2008245322.tif 000002
【特許請求の範囲】
【請求項１】
印刷ジョブの試し印刷を実行可能な印刷装置を有する印刷システムの制御方法であって、
試し印刷時の印刷出力枚数を、前記印刷ジョブの原稿ページ数に関係なく、ユーザにより任意に指定可能にする為のマニュアルモードを選択する選択ステップと、
前記選択ステップにてマニュアルモードが選択された場合、ユーザにより指定された枚数分、試し印刷を実行させる制御ステップと
を有することを特徴とする制御方法。
【請求項２】
前記選択ステップは、前記マニュアルモードを含む複数のモードの中から何れかのモードを選択可能にし、
前記制御ステップは、前記選択ステップにて選択される各モード毎に、試し印刷時の印刷出力枚数を制御することを特徴とする請求項１記載の制御方法。
【請求項３】
前記選択ステップは、前記印刷ジョブを１部数分試し印刷させる為の全ページモード、及び、前記マニュアルモードを含む複数のモードの中から何れかを選択可能であり、
前記制御ステップは、前記全ページモードが選択された場合、前記印刷ジョブに含まれる全ての原稿ページを１部数分全て試し印刷させることを特徴とする請求項１又は２記載の制御方法。
【請求項４】
前記選択ステップは、前記印刷ジョブに設定された印刷条件に応じた出力枚数分試し印刷する為の自動モード、及び、前記マニュアルモードを含む複数のモードの中から何れかのモードを選択可能であり、
前記制御ステップは、前記自動モードが選択された場合、前記印刷ジョブに設定された印刷条件に応じた出力枚数分、試し印刷させることを特徴とする請求項１乃至３の何れかに記載の制御方法。
【請求項５】
前記印刷ジョブに対してステイプルモードが設定されている場合において、前記選択ステップにて前記自動モードが選択された場合、前記制御ステップは、ステイプルモードに対応した出力枚数分、試し印刷させることを特徴とする請求項４記載の制御方法。
【請求項６】
前記印刷ジョブに対して両面モードが設定されている場合において、前記選択ステップにて前記自動モードが選択された場合、前記制御ステップは、両面モードに対応した出力枚数分、試し印刷させることを特徴とする請求項４記載の制御方法。
【請求項７】
印刷ジョブの試し印刷を実行可能な印刷装置を有する印刷システムの制御方法であって、
前記印刷ジョブに設定された印刷条件に応じた出力枚数分試し印刷する為の自動モードを選択する選択ステップと、
前記選択ステップにて前記自動モードが選択された場合に、前記印刷ジョブに設定された印刷条件に応じた出力枚数分、試し印刷させる制御ステップと
を有することを特徴とする制御方法。
【請求項８】
印刷部数がＮ部（Ｎは２以上）の印刷ジョブの試し印刷を実行可能な印刷装置を有する印刷システムの制御方法であって、
試し印刷時にて前記印刷ジョブを前記印刷ジョブに対して設定された印刷条件でＰ部（Ｐは所定値）試し印刷させる為の全ページモード、及び、前記印刷ジョブを前記印刷条件で且つ前記Ｐ部未満の印刷枚数で試し印刷させる為の非全ページモード、を含む複数のモードから何れかのモードを選択する選択ステップと、
試し印刷後に前記印刷ジョブの印刷条件の設定変更を可能にする変更ステップと、
前記変更ステップで設定変更がなされた場合に前記印刷ジョブを設定変更後の印刷条件で印刷可能にし、且つ、前記変更ステップで設定変更がなされなかった場合に前記印刷ジョブを前記印刷条件のまま印刷可能にする制御ステップとを有し、
前記制御ステップは、前記全ページモードで試し印刷された印刷ジョブの印刷条件が前記変更ステップで設定変更がなされなかった場合に前記全ページモードで試し印刷された印刷ジョブを前記印刷条件のままＡ部数分（Ａ＝Ｎ−Ｐ）印刷させ、但し、前記非ページモードで試し印刷された印刷ジョブは、印刷条件が前記変更ステップで設定変更がなされなかった場合でも、前記印刷条件のままＮ部数分印刷させることを特徴とする制御方法。
【請求項９】
請求項１乃至８の何れかに記載の制御方法を実行するための制御手段を実行するための印刷システム。
【請求項１０】
請求項１乃至８の何れかに記載の制御方法を実行するためのプログラム。
【発明の詳細な説明】
【技術分野】
【０００１】
本発明は、試し印刷を行うことが可能な印刷システムの制御方法、印刷システムおよびプログラムに関する。
【背景技術】
【０００２】
近年、デジタル複写機が登場し、このデジタル複写機により、複数の機能が実現可能になる。デジタル複写機は、原稿上の画像をＣＣＤ（Charged Coupled Device）で読み取ってデジタル信号化し、それに様々な処理を施した後、レーザ信号に変換して電子写真技術でシート上に記録するものである。また、読み取った画像データをハードディスクなどの画像メモリに一旦蓄積し、これを読み出して画像形成を行うことを複数回繰り返すことにより、電子ソート機能を実現することが可能になる。さらに、上記画像メモリに蓄積されたデータを用いて、１部を画像形成し、その仕上りをユーザが確認した結果に応じて、画像形成の継続または設定モードの変更を行うようにすることも可能である。これは、いわゆる試し印刷と呼ばれる機能である（たとえば、特許文献１参照。）。
【特許文献１】特開２００１−３４１３６１号公報
【発明の開示】
【発明が解決しようとする課題】
【０００３】
しかしながら、上記のような試し印刷機能においては、読み込んだ画像の全てを対象とし、１部単位でそれに含まれる全ページを印刷するので、時間およびトナー、シートなどの消耗品を無駄に消費する場合がある。例えば、数ページ分印刷すれば試し印刷としての機能を十分果たせる場合があるが、この場合においても、１部単位で全ページを出力することになり、試し印刷に余分な時間が掛かるとともに、トナー、シートなどの消耗品を無駄に消費することになる。
【０００４】
本発明の目的は、時間および消耗品の無駄な消費を極力少なく抑制する試し印刷機能を実現することができる印刷システムの制御方法、印刷システムおよびプログラムを提供することにある。
【課題を解決するための手段】
【０００５】
本発明は、上記目的を達成するため、印刷ジョブの試し印刷を実行可能な印刷装置を有する印刷システムの制御方法であって、試し印刷時の印刷出力枚数を、前記印刷ジョブの原稿ページ数に関係なく、ユーザにより任意に指定可能にする為のマニュアルモードを選択する選択ステップと、前記選択ステップにてマニュアルモードが選択された場合、ユーザにより指定された枚数分、試し印刷を実行させる制御ステップとを有することを特徴とする制御方法を提供する。
【０００６】
本発明は、上記目的を達成するため、印刷ジョブの試し印刷を実行可能な印刷装置を有する印刷システムの制御方法であって、前記印刷ジョブに設定された印刷条件に応じた出力枚数分試し印刷する為の自動モードを選択する選択ステップと、前記選択ステップにて前記自動モードが選択された場合に、前記印刷ジョブに設定された印刷条件に応じた出力枚数分、試し印刷させる制御ステップとを有することを特徴とする制御方法を提供する。
【０００７】
本発明は、上記目的を達成するため、印刷部数がＮ部（Ｎは２以上）の印刷ジョブの試し印刷を実行可能な印刷装置を有する印刷システムの制御方法であって、試し印刷時にて前記印刷ジョブを前記印刷ジョブに対して設定された印刷条件でＰ部（Ｐは所定値）試し印刷させる為の全ページモード、及び、前記印刷ジョブを前記印刷条件で且つ前記Ｐ部未満の印刷枚数で試し印刷させる為の非全ページモード、を含む複数のモードから何れかのモードを選択する選択ステップと、試し印刷後に前記印刷ジョブの印刷条件の設定変更を可能にする変更ステップと、前記変更ステップで設定変更がなされた場合に前記印刷ジョブを設定変更後の印刷条件で印刷可能にし、且つ、前記変更ステップで設定変更がなされなかった場合に前記印刷ジョブを前記印刷条件のまま印刷可能にする制御ステップとを有し、前記制御ステップは、前記全ページモードで試し印刷された印刷ジョブの印刷条件が前記変更ステップで設定変更がなされなかった場合に前記全ページモードで試し印刷された印刷ジョブを前記印刷条件のままＡ部数分（Ａ＝Ｎ−Ｐ）印刷させ、但し、前記非ページモードで試し印刷された印刷ジョブは、印刷条件が前記変更ステップで設定変更がなされなかった場合でも、前記印刷条件のままＮ部数分印刷させることを特徴とする制御方法を提供する。
【０００８】
また、本発明は、上記目的を達成するため、上記制御方法を実行するための制御手段を実行するための印刷システム、および上記制御方法を実行するためのプログラムを提供する。
【発明の効果】
【０００９】
本発明によれば、時間および消耗品の無駄な消費を極力少なく抑制する試し印刷機能を実現することができる。
【００１０】
例えば、１つの印刷ジョブが大量頁で構成される原稿束を試し印刷モードで印刷させようとした場合に、１部数分、即ち、全部の頁を印刷しなくても、例えば、先頭頁等の所定頁だけを、或いは、１枚の出力用紙等の所定枚数の出力用紙枚数分だけ印刷すれば、ユーザにより出力結果を確認できるような状態（カラー出力等の色見だけをチェックしたい等や、印刷される領域や印刷される画像の向きだけをチェックできれば良い等）にもかかわらず、従来のような試し印刷における１ジョブ１部数分の印刷を実行してしまうことにより、不必要な出力を行ってしまう等の無駄を防止できる。
【００１１】
試し印刷における使い勝手の向上（生産性や無駄な出力防止）を図ると共に、使い勝手を向上させた為にユーザが所望の必要部数分出力されない等の印刷結果に不具合が生じることを防止して、適切な印刷結果を保証することができ、試し印刷における使い勝手の向上と印刷保障の両立を図ることができる。
【００１２】
また、試し印刷における使い勝手の向上（生産性や無駄な出力防止）を図ると共に、使い勝手を向上させた為にユーザが所望の必要部数分出力されない等の印刷結果に不具合が生じることを防止して、適切な印刷結果を保証することができ、試し印刷における使い勝手の向上と印刷保障の両立を図ることができる。
【発明を実施するための最良の形態】
【００１３】
以下、本発明の実施の形態について図面を参照しながら説明する。
【００１４】
（第１の実施の形態）
図１は本発明の第１の実施の形態に係る画像入出力システムの全体構成を示すブロック図である。
【００１５】
画像入出力システム１００は、図１に示すように、原稿画像を光学的に読み取り、画像データに変換するリーダ装置２００と、シートを給紙し、このシート上に画像データを可視画像として印字して装置外に排紙するプリンタ装置３００と、リーダ装置２００およびプリンタ装置３００を制御するための制御装置１１０とを備える。
【００１６】
リーダ装置２００は、原稿用紙を給送するための原稿給紙ユニット（ＤＦユニット）２５０と、原稿を読み取るためのスキャナユニット２１０とから構成される。
【００１７】
プリンタ装置３００は、複数種類のシートカセットを有する給紙ユニット３１０と、画像データをシートに転写し、定着させるためのマーキングユニット３２０と、印字されたシートを機外へ出力するための排紙ユニット３３０と、ステイプル処理、ソート処理などを行うフィニッシャユニット５００とから構成される。
【００１８】
制御装置１１０は、リーダ装置２００、プリンタ装置３００と電気的に接続され、さらにＬＡＮ（Local Area Network）４００を介して、ホストコンピュータ（ＰＣ）４０１，４０２と接続されている。制御装置１１０は、リーダ装置２００を制御して原稿の画像データを読み込み、プリンタ装置３００を制御して画像データをシートに出力するコピー機能を提供する。また、制御装置１１０は、リーダ装置２００から読み取った画像データをコードデータに変換し、ＬＡＮ４００を介してホストコンピュータ４０１，４０２へ送信するスキャナ機能、ホストコンピュータ４０１，４０２からＬＡＮ４００を介して受信したコードデータを画像データに変換し、プリンタ装置３００に出力するプリンタ機能を提供する。
【００１９】
また、制御装置１１０には、リーダ装置２００により読み取られた画像データを蓄積するための画像蓄積部１６０が接続されている。プリンタ装置３００は、制御装置１１０を介して画像蓄積部１６０から画像データを読み出し、この読み出した画像データを印字することが可能である。従って、原稿の読み込みとプリントとを非同期で行うことができる。また、一度読み込んだ画像データを複数回読み出して印字することも可能であり、これにより電子ソート機能および試しコピー（試し印刷モード）が実現される。
【００２０】
例えば、操作部から試し印刷モードがユーザにより選択されたことに場合、制御装置１１０は以下のように動作するよう各種ユニットを制御する。まず、ユーザにより操作部を介して設定された処理モード（縮小レイアウト処理モード、拡大レイアウトモード、ステイプルモード、画像回転モード、ページ連写モード、ページ印字モード等の各種の処理モード）、及び、そのモード下にて設定される各種処理条件としての設定パラメータ（例えば、縮小レイアウトモードが選択された場合、そのモードのパラメータとしては、シート上に配列形成させるべき画像の個数に関する設定パラメータ（２個か、４個か、８個か、９個か、１６個等の画像配置数）や、それら複数画像の配列順序に関する設定パラメータ（例えば、4in1モードの場合は、１頁目から４頁目の各画像を、１枚のシートの同一面上の左上、右上、左下、右下の配置領域のどの領域にレイアウトするかを指定する為の配列位置等の指定）を、メモリに一旦記憶保持する。そして、該記憶した上記モード情報及びそのモードのパラメータデータに従った処理を、メモリ（ハードディスク等）に取り込んだ印刷ジョブ（画像データ）に対して実行させる。そして、その結果を、ユーザに確認してもらうべく、試し印刷として印刷出力させる。
【００２１】
そして、試し印刷処理にて出力された印刷出力結果をユーザにより確認させる。
【００２２】
もし、ここで、ユーザにより特に出力結果に問題なく、最初に設定した処理条件のままで、そのまま出力を許可する旨の指示を操作部を介してユーザにより入力された場合は、最初の印刷設定時にてユーザにより設定された印刷部数（及び／又は印刷頁枚数）と、試し印刷処理にて印刷した印刷部数（及び／又は印刷ページ枚数）とに基づいた数の印刷部数（及び／又は印刷ページ枚数）で、且つ、上記先のユーザにより設定された印刷処理条件に従って、上記印刷ジョブの印刷処理を実行させる。例えば、ユーザにより、試し印刷モードが指定された状態で、１ジョブ分の原稿データとして、原稿枚数が５ページからなる１つの原稿束（１つのジョブ）を、各種の処理条件に基づいて、ユーザから５部印刷するよう設定されたとする。この場合に、例えば、試し印刷処理時に、１〜５頁目の出力からなる出力束を、上記ユーザからの各種設定条件に従って、１部分（この場合、５頁分×１部）を出力したとする。そして、ユーザから特に印刷条件の修正なしで、このまま印刷を続行させる旨の指示が投入されたことに応じて、制御装置１１０は、最初の設定部数５から印刷処理時の設定部数１を引いた、４部数分の印刷を、先の印刷条件と同様の印刷条件で出力させる（５頁分×４部）。これは、試し印刷時の出力結果も、適正な出力結果として勘定できるからであり、極力、無駄な出力を抑制する為の制御である。
【００２３】
一方、ユーザにより試し印刷出力を確認させた結果、所望の出力ではなく、ユーザにより先に設定した印刷処理条件を変更して、変更後の印刷処理条件で印刷出力を実行させる為の指示がユーザにより操作部を介して入力された場合、制御装置１１０は、ユーザにより設定変更させる為の各種ＵＩ画面を操作部に表示させ、その画面を介して、印刷処理条件を設定変更させる（例えば、両面印刷から片面印刷への設定変更や、ノンソートモードからステイプルモードへの設定変更など）。そして、印刷処理条件の設定変更後、その設定変更後の印刷処理条件に従った処理を、上記メモリに格納されている上記印刷ジョブに対して実行して、印刷出力する。このように、試し印刷処理後に、ユーザにより印刷処理条件の設定変更がなされた場合、制御装置１１０は、試し印刷後に実行すべき当該印刷ジョブの出力部数（及び／又は印刷頁枚数）を、ユーザが最初に設定した印刷部数分（この例の場合は、５頁分×５部）実行させる。これは、試し印刷時に出力した印刷結果はユーザが所望とするデータとは異なるであり、該試し印刷出力時の印刷結果は無効として、改めて、ユーザの所望の出力結果を生成させる為の処置である。
【００２４】
このように、制御装置１１０は、試し印刷モードを制御し、試し印刷処理後に実行すべき印刷出力枚数を、試し印刷実行前に設定されたユーザからの印刷部数（及び／又は印刷頁枚数）情報、及び、試し印刷時に出力した印刷部数（及び／又は印刷頁枚数）情報、及び、試し印刷処理実行後に入力されるユーザからの指示（試し印刷処理時と同じ印刷処理条件のまま印刷処理を続行させる為の指示、或いは、試し印刷処理時とは異なる印刷処理条件であらためて印刷処理を実行させる指示）に基づいて、調整して、印刷出力させる。
【００２５】
そして、本形態は特に、試し印刷時の印刷ジョブの出力頁枚数を、ユーザからの幅広いニーズに対応可能にしている。
【００２６】
例えば、１つの印刷ジョブが１００頁で構成される原稿束を試し印刷モードで印刷させようとした場合に、１部数分、即ち、１００頁印刷しなくても、例えば、先頭頁等の所定頁だけを、或いは、１枚の出力用紙等の所定枚数の出力用紙枚数分だけ印刷すれば、ユーザにより出力結果を確認できるような状態（カラー出力等の色見だけをチェックしたい等や、印刷される領域や印刷される画像の向きだけをチェックできれば良い等）にもかかわらず、従来のような試し印刷における１ジョブ１部数分の印刷を実行してしまうことにより、１００頁全て出力してしまう等の無駄を防止できるようにしている。
【００２７】
このような不具合が生じることを防止するために、本実施の形態の制御装置１１０は、試し印刷モードにおける試し印刷時の出力頁枚数を適宜調整可能に制御する。
【００２８】
例えば、試し印刷時に出力すべき印刷出力枚数として、試し印刷で処理すべき１つの印刷ジョブに含まれる全ての原稿ページを全て印刷させる為の第１モード（例えば、上記例でいえば、原稿１００ページ分、即ち、１部数分、全て印刷させる）、及び、試し印刷時に印刷すべき出力枚数を、試し印刷で処理すべきジョブに含まれる原稿ページ数に関係なく、ユーザにより任意に出力枚数を指定可能にする第２モード（例えば、上記例でいえば、1ジョブ内に原稿１００ページあるが、それには関係なく、任意の出力枚数分、或いは、任意の原稿ページ枚数分、ユーザにより指定可能にする）、及び、試し印刷モードの対象となる印刷ジョブに含まれる原稿ページ数に関係なく、当該印刷ジョブに対してユーザにより設定された印刷処理条件（処理モード、設定パラメータ等）に応じて、制御装置１１０により、試し印刷時に出力すべき印刷枚数を自動的に決定して試し印刷する第３モード（例えば、ユーザにより設定された処理モードが両面印刷モードの場合、両面印刷モード用に予めセットされた印刷出力枚数分だけ試し印刷を行い、又、例えば、ユーザにより設定された処理モードがステイプルモードの場合は、ステイプルモード用に予めセットされた印刷出力枚数分だけ試し印刷する等）、等の、試し印刷時の印刷出力枚数を決定する為の複数のモードを有しており、それらのモード（ここでは、大きくわけて、３つのモードを有している）の中からユーザにより所望のモードを選択可能に構成している。
【００２９】
尚、本実施の形態では、上述の第１モードは、後述する図９の操作画面例における「全ページ」モードに相当し、第２モードは図９の「マニュアル」モードに相当し、第３モードは図９の「自動」モードに相当し、後述の図９のＵＩ画面を介して、ユーザにより所望のモードを選択可能に構成している。
【００３０】
又、詳しくは図１６の操作画面例等を用いて後述するが、上記「自動」モードを行う上で、ユーザにより設定可能な処理モード毎に試し印刷時における印刷出力枚数を予め設定させておき、それを、例えば、テーブルデータ形式で、不図示のメモリに記憶保持しておき、上記自動モードが選択された場合は、該テーブルデータの中からユーザが設定した処理モードに応じた印刷出力枚数データを参照して、その印刷出力枚数分、試し印刷を実行させる。
【００３１】
又、本実施の形態の制御装置１１０は、上記制御に関連して、試し印刷処理後に実行すべき本番印刷処理用の印刷処理にて実行すべき印刷部数（及び／又は印刷頁枚数）も併せて制御している。
【００３２】
例えば、上記試し印刷処理時の印刷出力枚数を選択する為の、全ページモード及びマニュアルモード及び自動モードのうち、全ページモードがユーザにより選択された場合、印刷ジョブの全ページ、即ち、１部数分、試し印刷する（尚、本形態では、全ページモードにて所定部数として1部としているが、これに限らず、任意の部数でよい）。従って、試し印刷結果が適正な結果であることをユーザが確認し、そのまま印刷処理を続行させる指示がユーザにより投入された場合（試し印刷解除後）、上述したように、ユーザにより設定された印刷部数分から上記１部数分減算した値に相当する部数分、印刷処理を実行させるよう制御装置１１０は制御する。
【００３３】
しかし、上記マニュアルモードの場合は、試し印刷時の印刷枚数をユーザにより任意に指定可能にし、それに従って試し印刷を実行させている為、試し印刷処理では、印刷ジョブの１部数分の出力を行っていない（例えば、１００枚のうちの５枚のみ試し印刷する等）。又、上記自動モードが選択された場合も同様に、このモードが選択された場合は、ユーザにより設定された印刷処理モードに応じた出力枚数分しか、試し印刷を行っていない（ステイプルモードが選択された場合は、ステイプルモード用の枚数分、試し印刷する等）。
【００３４】
そこで、制御装置１１０は、上記マニュアルモードが選択された場合、及び、自動モードが選択された場合は、例えば、試し印刷処理後にユーザにより設定変更がなされずそのまま印刷処理を続行するよう指示されたとしても、試し印刷後に実行すべき印刷部数を、試し印刷時に出力した印刷枚数に拠らずに、ユーザにより最初に設定された印刷部数分、実行するよう制御する。
【００３５】
これにより、例えば、ユーザにより設定された印刷部数が１０部の印刷ジョブを処理する場合、制御装置１１０により以下のような制御をとる。
【００３６】
（１）「試し印刷枚数：全ページ」を選択→試し印刷時に印刷ジョブを１部数分試し印刷させる。→「ユーザにより設定変更あり」→試し印刷解除後、新たな印刷設定（ユーザにより設定変更後の印刷設定）で、１０部印刷させる。
【００３７】
（２）「試し印刷枚数：全ページ」を選択→試し印刷時に印刷ジョブを１部数分試し印刷させる。→「ユーザにより設定変更なし」→試し印刷解除後、元の印刷設定のまま（試し印刷時の印刷条件と同じ印刷条件のまま）、９部印刷させる。
【００３８】
尚、本実施の形態では、印刷ジョブに対する初期設定で設定された印刷部数をＮ部とし（上記例ではＮ＝１０）、試し印刷時の印刷部数を所定部数Ｐとしている（上記例では、Ｐ＝１）。上記部数Ｎの値は、ユーザが試し印刷モード実行前の初期設定で設定した印刷ジョブの印刷条件である（上記例では１０部）。但し、この部数Ｎは、少なくとも２部以上と定めている（つまり、印刷部数が複数部数の印刷ジョブのみ該当する。１部の印刷ジョブは該当しない）。上記部数Ｐの値は、ユーザモード等により、上記のように1部でもよいし、任意の部数を設定可能にしている。そして、制御装置１１０は、上記制御例（２）の試し印刷後の印刷部数として、部数Ｎ部（但し、Ｎは２以上）−部数Ｐ＝部数Ａの計算処理を行い、上記演算結果の答えであるＡ部数分だけ本番用の印刷を行う。よって、上記例では、部数Ｎ−部数Ｐ＝部数Ａの計算式に基づき、それぞれ値を代入し、１０−１＝９となり、９部数分、本番用の印刷を行う。
【００３９】
（３）「試し印刷枚数：マニュアル」を選択→試し印刷時に印刷ジョブをユーザにより設定された枚数分だけ試し印刷させる。→「ユーザにより設定変更あり」→試し印刷解除後、新たな印刷設定で、１０部印刷させる。
【００４０】
（４）「試し印刷枚数：マニュアル」を選択→試し印刷時に印刷ジョブをユーザにより設定された枚数分だけ試し印刷させる。→「ユーザにより設定変更なし」→試し印刷解除後、元の印刷設定のまま、１０部印刷させる。
【００４１】
この制御例（４）を見ても分かるように、マニュアルモードで試し印刷した場合は、たとえ試し印刷後にユーザによる印刷条件の設定変更がなされなかった場合でも、上記制御例（２）のような、Ｎ−Ｐ部（上記例では、１０部−１部）での本番用の印刷を実行させずに、Ｎ部（上記例では１０部）で、本番用の印刷を実行させる。
【００４２】
（５）「試し印刷枚数：自動」を選択→試し印刷時に印刷ジョブを、当該印刷ジョブに対して設定された処理モードに応じた枚数分だけ試し印刷させる。→「ユーザにより設定変更あり」→試し印刷解除後、新たな印刷設定で、１０部印刷させる。
【００４３】
（６）「試し印刷枚数：自動」を選択→試し印刷時に印刷ジョブを、当該印刷ジョブに対して設定された処理モードに応じた枚数分だけ試し印刷させる。→「ユーザにより設定変更なし」→試し印刷解除後、元の印刷設定のまま、１０部印刷させる。
【００４４】
この制御例（６）を見ても分かるように、自動モードで試し印刷した場合は、たとえ試し印刷後にユーザによる印刷条件の設定変更がなされなかった場合でも、上記制御例（２）のような、Ｎ−Ｐ部（上記例では、１０部−１部）での本番用の印刷を実行させずに、Ｎ部（上記例では１０部）で、本番用の印刷を実行させる。
【００４５】
上記（２）、（４）、（６）を比較してみても分かるように、本形態の制御装置１１０は、試し印刷後にて、ユーザによる設定変更が行われずに印刷続行が指示指示された場合であっても、試し印刷時のモードが上記全ページモードか、マニュアルモードか、自動モードかによって、試し印刷処理後に実行すべき印刷部数を適宜調整している。
【００４６】
このように制御を各モード毎に異ならせることにより、試し印刷における使い勝手の向上（生産性や無駄な出力防止）を図ると共に、使い勝手を向上させた為にユーザが所望の必要部数分出力されない等の印刷結果に不具合が生じることを防止して、適切な印刷結果を保証することができ、試し印刷における使い勝手の向上と印刷保障の両立を図ることができる。
【００４７】
尚、変形例として、試し印刷対象となる印刷ジョブに対して、ステイプルモードや縮小レイアウトモードや両面モード等の、所定の処理モードがユーザにより設定された時点で、上記３つのモード（全ページモード／マニュアルモード／自動モード）のうちの、特定のモードを自動的に設定したり、あるモードの設定は禁止して、別のモードの設定のみを選択可能にするよう制御装置１１０により制御してもよい。
【００４８】
例えば、試し印刷対象となる印刷ジョブに対して、ステイプルモードや、両面モードや、縮小レイアウトモードが設定された場合、上記３つのうちの、マニュアルモードの実行を禁止するよう、図９の操作画面上の「マニュアル」キーを網掛け表示にして、「自動」及び「全ページ」のみを選択可能にして、「マニュアル」モードはユーザにより選択できないよう表示制御する。
【００４９】
又、例えば、試し印刷対象となる印刷ジョブに対して、ステイプルモードや、両面モードや、縮小レイアウトモードが設定された場合、図９の操作画面にてモードの選択をユーザが行わなくとも、自動的に、上記自動モードを設定するよう制御する。
【００５０】
また、制御装置１１０には、操作部１５０が接続されている。操作部１５０は、タッチパネル付液晶表示装置（ＬＣＤ）を有し、画像入出力システム１００を操作するためのユーザＩ／Ｆを提供する。この操作部１５０についての詳細は、後述する。
【００５１】
次に、上記リーダ装置２００およびプリンタ装置３００の構成について図２を参照しながら説明する。図２は図１の画像入出力システムにおけるリーダ装置およびプリンタ装置の構成を示す断面図である。
【００５２】
リーダ装置２００の原稿給紙ユニット（ＤＦユニット）２５０は、原稿を先頭順に１枚ずつプラテンガラス２１１上へ給送し、スキャナユニット２１０による原稿の読取り動作終了後、プラテンガラス２１１上の原稿を排出トレイ２１９に排出するものである。原稿給紙ユニット２５０においては、原稿の有無を検知するためのセンサ２３０が設けられている。スキャナユニット２１０においては、原稿がプラテンガラス２１１上に搬送されると、ランプ２１２を点灯し、そして光学ユニット２１３の移動を開始して原稿を露光走査する。このときの原稿からの反射光は、ミラー２１４，２１５，２１６およびレンズ２１７を介してＣＣＤイメージセンサ(以下、ＣＣＤという)２１８へ導かれる。このように走査された原稿の画像は、ＣＣＤ２１８によって読み取られる。ＣＣＤ２１８から出力される画像データは、所定の処理が施された後、制御装置１１０へ転送される。
【００５３】
プリンタ装置３００は、レーザ発光部３２２を駆動するレーザドライバ３２１を有し、このレーザドライバ３２１は、制御装置１１０から出力された画像データに応じたレーザ光をレーザ発光部３２２から発光させる。このレーザ光は感光ドラム３２３に照射され、感光ドラム３２３には、レーザ光に応じた潜像が形成される。この感光ドラム３２３の潜像は、現像器３２４から供給された現像剤により現像剤像として可視像化される。
【００５４】
また、上記レーザ光の照射開始と同期したタイミングで、カセット３１１、カセット３１２、カセット３１３、カセット３１４、手差し給紙段３１５のいずれかからシートが給紙され、このシートは搬送路３３１を介して転写部３２５へ向けて搬送される。この搬送されたシート上には、転写部３２５により、感光ドラム３２３上の現像剤像が転写される。現像剤像が転写されたシートは、搬送ベルト３２６によって、定着部３２７に搬送される。
【００５５】
定着部３２７においては、シート上の現像剤像が熱圧されてシート上に定着される。この定着部３２７を通過したシートは、搬送路３３５、搬送路３３４を経て排出される。また、印字面を反転して排出する場合には、定着部３２７を通過したシートは、一旦搬送路３３６、搬送路３３８まで導かれた後に、そこから逆方向に搬送されて搬送路３３７、搬送路３３４を経て排出される。また、両面記録が設定されている場合、シートは、定着部３２７を通過した後に、フラッパ３２９によって、搬送路３３６から搬送路３３３へ導かれる。その後、シートは逆方向に搬送され、フラッパ３２９によって、搬送路３３８、再給紙搬送路３３２へ導かれる。再給紙搬送路３３２へ導かれたシートは、上述したタイミングで搬送路３３１を通って転写部３２５へ給紙される。
【００５６】
搬送路３３４を経て排出されたシートは、フィニッシャユニット５００内へ搬送される。フィニッシャユニット５００内に搬送されたシートは、まずバッファユニット５０１へ送られる。ここでは、場合に応じて搬送されてきたシートをバッファローラに巻きつけてバッファリングする。例えば、この下流で行われるステイプルなどの処理に時間が掛かる場合は、このバッファユニットを利用することによって本体から搬送されてくるシートの搬送速度を一定に保つことができ、スループットの向上を図ることが可能である。
【００５７】
バッファユニット５０１からのシートは、上流排出ローラ対５０２、下流排出ローラ対５０３により排紙トレイ５０７ａに排出される。ステイプルモードの場合、シートが上流排出ローラ対５０２で搬送され、そのシート後端がこれを抜けた直後、シートは、ローレットベルト５０４によって引き戻され、ステイプルトレイ５０５に排出される。
【００５８】
ステイプルトレイ５０５上に所定の枚数分のシートが積載されると、ステイプルユニット５０６によってこのシート束に対してステイプル処理が行われ、この後にステイプルされたシート束が、下流排出ローラ対５０３により排出トレイ５０７ａに排出される。
【００５９】
本実施の形態では、２つの排出トレイ５０７ａ，５０７ｂが設けられ、これらは連動して不図示の駆動ユニットにより上下に移動させることが可能である。また、本図において、排出トレイ５０７ａはシートが排出される位置にあるが、これを上方向に移動して排出トレイ５０７ｂに排出させることも可能である。
【００６０】
次に、操作部１５０について図３を参照しながら説明する。図３は図１の画像入出力システムの操作部を示す図である。
【００６１】
操作部１５０は、図３に示すように、主なモード設定、状況表示を行うためのタッチパネル付ＬＣＤ６００と、複数のキーとを有する。複数のキーとしては、０〜９までの数値を入力するためのテンキー６０１、装置が部門管理されている場合に部門番号とパスワードを入力する際に使用されるＩＤキー６０２、設定されたモードをリセットするためのリセットキー６０３、各モードについての説明画面を表示するためのガイドキー６０４、ユーザモード画面に入るためのユーザモードキー６０５、割り込みコピーを行うための割り込みキー６０６が設けられている。
【００６２】
また、コピー動作をスタートさせるためのスタートキー６０７、実行中のコピージョブを中止させるためのストップキー６０８が設けられている。また、ソフト電源スイッチ６０９が設けられ、このソフト電源スイッチ６０９を押下することによりＬＣＤ６００のバックライトが消え、装置は低電力状態に移行する。さらに、節電キー６１０が設けられ、この節電キー６１０を押下することによって、節電状態に入り、再度押下することで節電状態から復帰する。さらに、拡張機能、コピー、ボックスに移行させるためのファンクションキー６１１，６１２，６１３が設けられている。本図（図３）は、コピーの標準画面が表示された状態を示し、他のファンクションキー６１１，６１２を押下することでそれぞれの機能の標準画面が表示される。
【００６３】
さらに、ＬＣＤ６００のコントラストを調整するための調整キー６１４、カウンタ確認キー６１５が設けられている。カウンタ確認キー６１５を押下することによって、それまでに使用したコピー枚数の集計を表示するカウント画面がＬＣＤ６００上に表示される。さらに、ジョブの実行中、画像蓄積部１６０への画像蓄積中を示すＬＥＤ６１６、ジャム、ドアオープンなどの装置がエラー状態にあることを示すエラーＬＥＤ６１７、装置のメインスイッチがＯＮになっていることを示す電源ＬＥＤ６１８が設けられている。
【００６４】
次に、本実施の形態における試しコピーの動作について説明する。
【００６５】
まず、操作部１５０およびそれに設けられているタッチパネル付きＬＣＤ６００の制御について図４を参照しながら説明する。図４は図３の操作部１５０およびタッチパネル付きＬＣＤ６００の制御タスクを示すフローチャートである。
【００６６】
操作部１５０およびＬＣＤ６００に対する制御は、電源立ち上げ時から起動され、常にランニング状態にある。この制御は、制御装置１１０により実行されるものである。
【００６７】
図４を参照するに、まずステップＳ４１において、装置状態がアイドル状態か否かを判定する。このアイドル状態とは、コピージョブなど、実行されているジョブが何もない状態をいう。ここで、装置状態がアイドル状態であると判定された場合は、ステップＳ４２において、アイドル状態での制御を行い、ステップＳ４３へ進む。これに対し、装置状態がアイドル状態でないと判定された場合は、上記ステップＳ４２をスキップして、ステップＳ４３へ進む。
【００６８】
ステップＳ４３では、動作中か否かの判定を行う。ここで、コピー動作が実行されている場合は、動作中であると判定し、ステップＳ４４において、動作内容に応じた制御を行う。そして、ステップＳ４５へ進む。これに対し、動作中でないと判定された場合は、上記ステップＳ４４をスキップしてステップＳ４５へ進む。
【００６９】
ステップＳ４５では、装置状態が試しコピーの中間状態にあるか否かを判定する。この試しコピーの中間状態とは、一部の試し出力が終了した後、一旦ジョブが中断状態になり、この中断状態中にユーザによる操作（例えばＬＣＤ６００からの操作入力）を認める状態である。この詳細については、後述する。ここで、装置状態が試しコピーの中間状態にあると判定された場合は、ステップＳ４６において、試しコピーの中間状態での制御を行う。そして、上記ステップＳ４１へ戻る。これに対し、装置状態が試しコピーの中間状態にないと判定された場合は、上記ステップＳ４１へ戻る。
【００７０】
なお、図示していないが、上記処理の他に、紙なし中断中、ジャム処理中などの例外処理状態においては、対応する個別の処理が行われるが、これについての説明は省略する。
【００７１】
次に、上記ステップＳ４２のアイドル制御について図５、図６、図７、図９および図１２を参照しながら説明する。図５は図４のステップＳ４２のアイドル制御の手順を示すフローチャート、図６は図３の操作部１５０のＬＣＤ６００に表示されるアイドル状態時の画面例を示す図、図７は図５のステップＳ６０の試し枚数設定の画面例を示す図、図９は図５のステップＳ６１の試しコピーモードオン時における試しコピーキー５００の反転表示状態を示す図、図１２は図６の画面上で応用モードキー５０３を押下することにより表示される応用モード設定画面例を示す図である。ここでは、アイドル状態時における操作部１５０に対する制御のうち、試しコピーに関する部分について説明する。
【００７２】
アイドル状態時、操作部１５０のＬＣＤ６００には、図６に示す画面が表示される。このアイドル状態においては、ユーザ操作により置数、用紙選択、ソートなどのコピーモードを設定することができる。図６の画面においては、試しコピーを設定する試しコピーキー５００が表示される。この試しコピーキー５００は、通常表示されておらず、モードの設定状態に応じて表示されるものである。これについては、後述する。
【００７３】
アイドル制御では、図５に示すように、まずステップＳ５１において、キー群２０５のテンキーの操作により置数が入力されたか否かを判定する。ここで、置数が入力されたと判定された場合は、ステップＳ５２において、入力された置数の設定を行う。この置数はユーザによるクリア、再設定が行われない限り保持される。そして、ステップＳ５３へ進む。これに対し、置数が入力されていないと判定された場合は、上記ステップＳ５２をスキップして、ステップＳ５３へ進む。
【００７４】
ステップＳ５３では、置数以外のその他のモードが入力されたか否かを判定する。ここで、その他のモードが入力された判定された場合は、ステップＳ５４において、入力されたモードを設定し、そして、ステップＳ５５へ進む。その他のモードとしては、例えば図６に示すように用紙選択、ソータ、両面などがあり、また、図６に示す画面上で応用モードキー５０３を押下すると、図１２に示すようなモード設定画面が表示され、この画面上で、表紙／合紙、製本、原稿混載、移動、枠消しなど、デジタル複写機に一般に使われている機能の設定が可能になる。これらのモードについては公知のものであるため、その詳細な説明は省略する。これに対し、その他のモードが入力されていないと判定された場合、上記ステップＳ５４をスキップしてステップＳ５５へ進む。
【００７５】
ステップＳ５５では、置数が１より大きいか否かを判定し、置数が１より大きい場合は、ステップＳ５６で、ソート系のモードが設定されているか否かを判定する。ここで、ソート系のモードが設定されていると判定された場合は、ステップＳ５７において、図６に示す画面のように、試しコピーキー５００を表示する。これは、ノンソート系または置数１のコピーについては、試しコピーの実行に意味がないため、敢えて表示しない措置である。そして、ステップＳ５８において、試しコピーキー５００がオンされたか否かを判定する。
【００７６】
上記ステップＳ５８で試しコピーキー５００がオンされたと判定された場合は、ステップＳ６０において、試しプリント枚数設定を行う。具体的には、試しコピーキー５００がオンされると、図６の画面が図９の画面に遷移し、この画面上で、試しプリントする枚数を自動設定にするか、マニュアル設定にするか、全ページを対象にするかの指定を行う。マニュアル設定が選択された場合は、テンキーにより枚数が設定され、設定された枚数値が設定枚数欄５０１に表示される。この画面は、ＯＫキー５０２の押下で閉じられ、画面は図６の画面に遷移する。これと同時に、ステップＳ６１において、試しコピーモードをオンする。この際、試しコピーキー５００は、図７に示すように、黒に反転される。そして、ステップＳ６２へ進む。
【００７７】
ステップＳ５８で試しコピーキー５００がオンされたいないと判定された場合、上記ステップＳ５５で置数が１であると判定された場合、または上記ステップＳ５６でソート系のモードでないと判定された場合は、ステップＳ５９へ進み、試しコピーモードをオフにする。そして、ステップＳ６２へ進む。
【００７８】
ステップＳ６２では、スタートキー６０７が押下されたか否かを判定し、スタートキー６０７が押下されていない場合は、上記ステップＳ５１へ戻り、アイドル状態中の処理を繰り返す。これに対し、スタートキー６０７が押下されたと判定された場合、ステップＳ６３において、コピーシーケンスを起動する。このときに、設定された置数、試しコピーモード設定、その他のモード設定などのデータが操作部制御タスクからコピーシーケンスタスクに渡される。
【００７９】
次いで、ステップＳ６４において、コピーシーケンスが動作中になるのを待ち、アイドル制御を終了する。
【００８０】
次に、上記コピーシーケンスについて図８、図１０、図１１、および図１３〜図２４を参照しながら説明する。図８は図５のステップＳ６３のコピーシーケンスを示すフローチャート、図１０は図３の操作部のＬＣＤ６００に表示される試しコピー動作時の画面例を示す図、図１１は図８のステップＳ８４の試しコピー動作の手順を示すフローチャート、図１３は図１１のステップＳ１１５の自動ページ算出処理の手順を示すフローチャート、図１４は合紙モードによる出力ページ間に合紙を挿入した例を模式的に示す図、図１５（ａ）は両面モードで読み取られる原稿の一例を示す図、図１５（ｂ）は左右開き両面モード時の試しコピー例を示す図、図１５（ｃ）は上下開き両面モード時の試しコピー例を示す図、図１６は試しコピーの自動ページ算出における設定ページ数を予め設定可能な画面例を示す図、図１７は自動ページ算出におけるステイプルモード時の試し印刷枚数の設定根拠を模式的に示す図、図１８は自動ページ算出における縮小レイアウトモード時の試し印刷枚数の設定根拠を模式的に示す図、図１９（ａ）は表紙モードによる出力例を示す図、図１９（ｂ）は表紙モードが設定されている両面モードの場合の試しコピーの結果例を示す図、図１９（ｃ）は表紙モードが設定されているステイプルモードの場合の試しコピーの結果例を示す図、図１９（ｄ）は表紙モードが設定されている場合の試しコピーの結果例を示す図、図２０および図２１は図４のステップＳ４６の試しコピー中間状態制御を示すフローチャート、図２２は図４のステップＳ４６の試しコピー中間状態制御時に表示される画面例を示す図、図２３は図２０のステップＳ２０２で設定変更の要求が出されたと判定された際に表示される再設定画面例を示す図、図２４は図２０のステップＳ２０３で設定変更があると判定された際に表示される画面例を示す図である。
【００８１】
コピーシーケンスが起動されると、図８に示すように、まずステップＳ８１においてコピーモードが設定されているか否かを判定する。ここで、コピーモードが設定されていると判定された場合は、ステップＳ８２において、置数を１に設定する。ここで設定する置数は、ユーザがセットした置数とは別の内部的な処理に使う仮の置数であり、試しコピーモード中においては、一部印刷した後に一旦中間状態に入るために設定されるものである。
【００８２】
次いで、ステップＳ８３において、操作部制御タスクに試しコピーの動作に入ったことを通知する。この通知を受けて操作部制御タスクは、上記ステップＳ４４（図４）の動作に入り、この中の制御によって、図１０に示すような画面への表示切替えを行う。この画面においては、試しプリント中であることを示すメッセージなどが表示される。そして、ステップＳ８４において、試しコピー動作を開始する。ここでは、原稿を読み込み、その画像データを画像メモリ１２０に蓄積しながら、１部の印刷を行う。
【００８３】
試しコピー動作においては、上記ステップＳ６０で設定された試しプリント枚数に基づいて処理が行われる。具体的には、図１１に示すように、まずステップＳ１１１において、全ページ印字が選択されているか否かを判定し、全ページの印字が選択されたと判定されると、ステップＳ１１２において、読み込まれた全ページの印刷を行うように設定する。そして、ステップ１１６へ進む。これに対し、全ページの印字が選択されていないと判定された場合は、ステップＳ１１３において、マニュアル設定がされているか否かを判定する。ここで、マニュアル設定がされていると判定された場合は、ステップＳ１１４において、マニュアル設定されたページ数分だけの印刷を行うように設定する。そして、ステップＳ１１６へ進む。
【００８４】
上記ステップＳ１１３でマニュアル設定されていないと判定された場合は、ステップＳ１１５において、自動ページ算出処理を行う。
【００８５】
この自動ページ算出処理では、具体的には、図１３に示すように、まずステップＳ１３１において、原稿混載が設定されているか否かを判定し、原稿混載が設定されていると判定された場合、印字結果の仕上がり具合としては全ページを印刷して確認する必要があるので、ステップＳ１３３において、全ページの印刷を行うように設定し、本処理を終了する。これに対し、原稿混載が設定されていないと判定された場合、ステップＳ１３２において、合紙モードが設定されているか否かを判定する。合紙モードは、図１４に示すように例えば出力ページＡ〜Ｇのうち、任意のページ間に合紙を挿入するモードである。ここで、合紙モードが設定されていると判定された場合、原稿混載の場合と同様に、印字結果の仕上がり具合としては全ページを印刷して確認する必要があるので、ステップＳ１３３において、全ページの印刷を行うように設定する。
【００８６】
上記ステップＳ１３２で合紙モードが設定されていないと判定された場合、ステップＳ１３４において、両面印字モードが設定されているか否かを判定する。ここで、両面印字モードが設定されていると判定された場合は、ステップＳ１３５において、両面印字用枚数を設定し、そして、ステップＳ１３６へ進む。ここで、図１５（ａ）に示すようなＡ〜Ｌからなる原稿を両面印字する場合を考える。両面モードとしては、図１５（ｂ）に示すような左右開き両面モード、即ち左端を閉じたときに所望の両面印字結果を得られるモードと、図１５（ｃ）に示すような上下開き両面モード、即ち上端を閉じたときに所望の両面印字結果を得られるモードとがある。いずれのモードの場合も、２枚分のシートを印字することができれば、全体の仕上がり結果を十分に予想することができるため、両面モードでの印刷枚数設定は用紙２枚分と決定する。
【００８７】
なお、本実施の形態では、両面モードに対する設定用紙枚数を予めプリセットしておき、変更可能にすることが可能である。この場合、このようなプリセットモードは、図３の操作部１０５に設けられたユーザモードキー６０５を押下することによって、遷移するユーザモード設定画面の中でセットされる。例えば、図１６に示すような試しコピーの自動ページ算出における設定ページ数を予め設定可能な画面を表示する。この画面上では、両面、ステイプル、縮小レイアウトモードにおける印字枚数を可変設定することが可能であり、この画面の場合は、各キーを押下すると、それが反転し、そこでテンキーにより入力された値が当該モードにおける印字枚数として設定される。また、図１６の画面上の「その他」には、特殊なモードが設定されない場合のデフォルト値としてセットされる。
【００８８】
上記ステップＳ１３４で両面印字モードが設定されていないと判定された場合、上記ステップＳ１３５をスキップしてステップＳ１３６へ進む。
【００８９】
ステップＳ１３６では、ステイプルモードが設定されているか否かを判定する。ここで、ステイプルモードが設定されていると判定された場合は、ステップＳ１３７において、ステイプルモード用の枚数設定を行う。ステイプルモードにおいては、図１７に示すように、２枚のシートに印字し、これらをステイプルすれば、ステイプル位置などの仕上がり具合を確認するには十分であるため、試し印字枚数を２枚と設定する。
【００９０】
次いで、ステップＳ１３８において、今回新しく設定されたページ数（上記ステップＳ１３７で設定された印字枚数）が既に設定されているページ数（上記ステップＳ１３５で設定された印字枚数）より多いか否かを判定する。ここでは、例えば両面モードとステイプルモードが重複されて設定されていた場合を想定し、上記ステップＳ１３５で両面モードに対して設定された枚数と上記ステップＳ１３７でステイプルモードに対して設定された枚数とを比較する。ここで、今回新しく設定されたページ数（印字枚数）が既に設定されているページ数（印字枚数）より多いと判定された場合は、ステップＳ１３９において、試し印字枚数を上記ステップＳ１３７で設定された値に更新する。そして、ステップＳ１４０へ進む。今回新しく設定されたページ数（印字枚数）が既に設定されているページ数（印字枚数）以下であると判定された場合は、上記ステップＳ１３９をスキップしてステップＳ１４０へ進む。すなわち、試し印字枚数が上記ステップＳ１３７で設定された値に更新されず、上記ステップＳ１３５での設定値に保持される。
【００９１】
ステップＳ１４０では、縮小レイアウトモードが設定されているか否かを判定する。縮小レイアウトモードが設定されていないと判定された場合は、ステップＳ１４１において、縮小レイアウト用の枚数設定を行う。縮小レイアウトは、図１８に示すように、複数枚の原稿を１枚のシート面上にレイアウトして出力するモードである。この場合は、１枚の出力から、レイアウトの様子がつかめるので、印字枚数を１とする。そして、ステップＳ１４２において、今回新しく設定されたページ数（上記ステップＳ１４１で設定された印字枚数）が既に設定されているページ数（上記ステップＳ１３５または上記ステップＳ１３７で設定された印字枚数）より多いか否かを判定する。ここでは、例えば両面モード、ステイプルモード、縮小レイアウトモードのいずれかが重複されて設定されていた場合を想定し、上記ステップＳ１３５またはステップＳ１３７で設定された枚数と上記ステップＳ１４１で縮小レイアウトモードに対して設定された枚数とを比較する。ここで、今回新しく設定されたページ数（印字枚数）が既に設定されているページ数（印字枚数）より多いと判定された場合は、ステップＳ１４３において、試し印字枚数を上記ステップＳ１４１で設定された値に更新する。そして、ステップＳ１４４へ進む。今回新しく設定されたページ数（印字枚数）が既に設定されているページ数（印字枚数）以下であると判定された場合は、上記ステップＳ１４３をスキップしてステップＳ１４４へ進む。すなわち、試し印字枚数が上記ステップＳ１４１で設定された値に更新されず、上記ステップＳ１３５または上記ステップＳ１３７での設定値に保持される。
【００９２】
ステップＳ１４４では、表紙モードが設定されているか否かを判定し、表紙モードが設定されていないと判定されると、本処理を終了する。これに対し、表紙モードが設定されると判定された場合は、ステップＳ１４５において、表紙ページの追加処理を行う。表紙モードは、図１９（ａ）に示すように、印字されたシートＢ〜Ｇの先頭および後尾のそれぞれに表紙Ａ、裏表紙Ｌを付加するモードである。この表紙モードに関しては、表紙、裏表紙を付加しないと仕上がり具合の確認ができないため、この表紙、裏表紙のページ分を付加する。例えば両面モードに表紙、裏表紙を付加する場合においては、両面モードでの指定枚数２枚に表紙、裏表紙分が付加され、その試しコピーの結果として、図１９（ｂ）に示すものが得られるように、印刷枚数が決定される。また、ステイプルモードの場合は、図１９（ｃ）に示す試しコピーの結果が得られるように、また、特にモードが設定されていない場合は、図１９（ｄ）に示す試しコピーの結果が得られるように、印刷枚数が決定される。
【００９３】
この自動ページ算出処理により、試しコピー時の印刷枚数が決定されると、ステップＳ１１６（図１１）において、設定された印刷枚数分の印刷を１部行う。そして、本処理を終了する。
【００９４】
上記一連の処理により試しコピー動作（図８のステップＳ８４）が終了すると、ステップＳ８５において、操作部制御タスクに試しコピーの中間状態に入ることを通知した後、ステップＳ８６で、試しコピーの中間状態へ移行する。この情報は操作部制御タスクに送られ、その結果、操作部制御タスクの上記ステップＳ４６（図４）の試しコピー中間状態制御が実行される。
【００９５】
この中間状態制御時には、図２２に示す画面が表示され、この画面には、設定変更キー６９１、中止キー６９２、プリント開始キー６９３が含まれる。
【００９６】
中間状態制御では、図２０に示すように、ステップＳ２０１において、中止キー６９２が押下されたか否かを判定する。ここで、中止キー６９２が押下されたと判定された場合、図２１のステップＳ２１７において、コピーシーケンスタスクに中止要求を出し、続くステップＳ２１８で、コピーシーケンスがアイドル状態へ移行するのを待つ。コピーシーケンスがアイドル状態へ移行すると、本処理を終了する。
【００９７】
上記ステップＳ２０１で中止キー６９２が押下されていないと判定された場合、ステップＳ２０２において、設定変更キー６９１が押下され、設定変更の要求が出されたか否かを判定する。ここで、設定変更の要求が出された判定された場合、操作部１５０の表示が図２３に示すような再設定画面に切り替られる。この再設定画面においては、置数入力欄とともに、用紙選択キー７０１、ソート設定キー７０２、綴じ代設定キー７０３、濃度設定キー７０４、両面コピー設定７０５キーが表示され、置数以外にこれらのモード変更が許可されている。
【００９８】
そして、ステップＳ２１２において、操作部１５０に設けられたキー群６０１のテンキーの押下により置数変更がされたか否かを判定する。置数の変更が行われたと判定された場合、ステップＳ２１３において、設定された置数を変更された置数に設定し直す。そして、ステップ２１４へ進む。これに対し、置数の変更が行われていないと判定された場合、上記ステップＳ２１３をスキップしてステップＳ２１４へ進む。
【００９９】
ステップＳ２１４では、上記再設定画面で変更が許可されているモードのうち、いずれかのモードが変更されたか否かを判定する。ここで、モードが変更されたと判定された場合は、ステップＳ２１５において、モードを変更後のモードに再設定し、そして、ステップＳ２１６へ進む。これに対し、モードが変更されていないと判定された場合は、上記ステップＳ２１５をスキップしてステップＳ２１６へ進む。ステップＳ２１６では、図２３の再設定画面上で閉じるキー７０６が押下されたか否かを判定し、閉じるキー７０６が押下されたときには、ユーザによる設定変更が終了したと判断し、ステップＳ２０３へ進む。これに対し、閉じるキー７０６が押下されていなければ、再度、上記ステップＳ２１２へ戻る。
【０１００】
ステップＳ２０３では、上記ステップＳ２１２〜Ｓ２１５において何らかの設定変更がされたか否かを判定する。設定変更があると判定された場合は、図２４に示すように、上記図２２の画面上に試しコピーキー８０１が表示される。このキーを押下することにより、ユーザは設定変更したモードに基づいて再度試しコピーを行うことが可能になる。よって、ステップＳ２０４において、試しコピーキー８０１が押下されたか否かを判定する。ここで、試しコピーキー８０１が押下されていないと判定された場合、ステップＳ２０５において、プリント開始キー６９３が押下されたか否かを判定する。このプリント開始キー６９３の押下によってユーザはこれまで設定されたモード、または再設定されたモードに基づいて、変更設定された置数分のコピープリントを行った後、コピージョブを終了することができる。ここで、プリント開始キー６９３が押下されていないと判定された場合は、上記ステップＳ２０１へ戻る。これに対し、プリント開始キー６９３が押下されたと判定された場合は、ステップＳ２０６において、この中間状態で設定変更がされたか否かを判定する。
【０１０１】
上記ステップＳ２０６で上記設定変更がないと判定された場合は、ステップＳ２０７において、試しコピーで得られた出力が全ページ分か否かを判定する。試しコピーで全ページ分が出力されたと判定された場合は、ステップＳ２０８において、この試し分を有効コピーの一部とみなし、これまで設定された置数から１を減算して新たな置数として再設定する。そして、ステップ２０９へ進む。これに対し、上記ステップＳ２０６で上記設定変更があると判定された場合または上記ステップＳ２０７で試しコピーで全ページ分が出力されていないと判定された場合は、設定された置数を変更することなく（ステップＳ２０８をスキップする）、ステップＳ２０９へ進む。
【０１０２】
ステップＳ２０９では、試しコピーモードを解除し、続くステップＳ２１０で、コピーシーケンスタスクに対して再スタート要求を出す。そして、ステップＳ２１１において、コピーシーケンスが動作中になるのを待ち、コピーシーケンスが動作中になると、本処理を終了する。
【０１０３】
上記ステップＳ２０４で試しコピーキー８０１が押下されていないと判定された場合、ステップＳ２１０において、コピーシーケンスに再スタートを要求する。ここでは、変更されたモードおよびそれ以外の最初に設定されたモードデータが操作部制御タスクからコピーシーケンスタスクに渡される。
【０１０４】
ここで、再び図８に戻り、中間状態からのコピーシーケンスタスクの動作について説明する。中間状態移行後は、ステップＳ８７において、操作部制御タスクから再スタート要求がきたか否かを判定する。ここで、再スタート要求がきていないと判定された場合は、ステップＳ８９において、中止要求がきたか否かを判定し、中止要求がないときには、上記ステップＳ８７へ戻る。これに対し、中要求がきたと判定された場合、ステップＳ９０において、中間状態にあるコピーシーケンスを中止し、そしてステップＳ９３において、操作部制御タスクにコピー動作が終了してアイドル状態に戻ったことを通知し、本処理を終了する。
【０１０５】
上記ステップＳ８７で再スタート要求がきたと判定された場合は、ステップＳ８８において、試しコピーモードが設定されているか否かを判定する。ここで、試しコピーモードが設定されていると判定された場合は、上記ステップＳ８２へ戻る。これに対し、試しコピーモードが設定されていないと判定された場合は、ステップＳ９１において、操作部制御タスクにコピープリント動作を開始したことを通知し、続くステップＳ９２で、再スタート時に再設定されたモード、置数データに基づいてコピープリント動作を開始する。そして、ステップＳ９３において、操作部制御タスクにコピー動作が終了してアイドル状態に戻ったことを通知し、本処理を終了する。
【０１０６】
なお、中間状態からの再度の試しコピープリント時、試しコピーを解除してのコピープリント時には、原稿の読み込みを行わずに、最初に画像蓄積部１６０に蓄積された画像データを読み出し、読み出した画像データに対し設定されているモードの処理を施すことによって、印刷を行う。
【０１０７】
以上の制御により、試しコピーは次のように動作することになる。
【０１０８】
まず試しコピーが設定されている場合は、１部分のコピープリントが行われた後、再設定可能な中間状態に移行する。このときのプリントページ数は先述した手法に従いモードに応じて一部分のページであったり、全ページであったりする。これにより、ユーザは一律に全ページ印刷する場合よりも短時間でかつ無駄なく試しコピーの結果を得ることができる。
【０１０９】
中間状態で再度試しコピーを行った場合は、上記の場合と異なり、プリント開始キー６９３によるプリント、すなわち試しコピーモードを解除してのコピープリントでの置数は次のように処理される。
【０１１０】
まず、その中間状態でモードが変更されたならば、置数は先に設定されたものをそのまま使い置数分だけプリントを行う。これは、モード変更後の印字分が、ユーザが得ようとする印字結果であり、それ以前に出力された試しコピー分は考慮しないであろうという主旨によるものである。
【０１１１】
モードが中間状態で変更されなかった場合は、ユーザは先に出力した試しコピーを良しとしてこのまま継続してプリントを行うとする意志に基づくものであることが推測可能である。この場合は、先にプリントした試しコピー分も有効と考えその１部の分だけ置数を減らして残りのコピープリントを行うことで、ユーザが得ようとした置数分の印字を提供することができようになる（上記の例でいえば、全ページモードがこれに相当し、且つ、上述した（１）〜（６）の制御例でのうちの、項目（２）の制御例に相当する）。
【０１１２】
ただし、試しコピー分が一部のページしか印刷しないモード（上記の例でいえば、マニュアルモード、自動モード等、全ページモード以外の非全ページモードがこれに相当する）であった場合は、この部分については正規の印刷分としてみなされないことが予想されるので、前述したような置数の減算は行わない（この場合、例えば、上述した（１）〜（６）の制御例のうちの、項目（４）の制御例、項目（６）の制御例がこれに相当する）。
【０１１３】
また、試しコピーモードによる試し印刷が行われている間は、常に印字は１部とするが、当初設定された置数は変更されない。すなわち、ユーザが試しコピーを行う場合に、モード変更時常に置数変更を行うことを意識することなく最終的にユーザが望む置数分だけのプリントを提供することができ、極めて有効である。
【０１１４】
（第２の実施の形態）
次に、本発明の第２の実施の形態について図２５〜図３２を参照しながら説明する。図２５および図２６は本発明の第２の実施の形態に係る画像入出力システムにおけるアイドル制御の手順を示すフローチャート、図２７は図２６の連続読み込みの手順を示すフローチャート、図２８は図２７のステップＳ２６５で連続読み取りの中間状態へ移行した際に操作部１５０に表示される画面例を示す図、図２９は図２８の画面上で原稿タイプキーが押下された際に表示される原稿タイプ設定ポップアップの例を示す図、図３０は自動ページ算出の手順を示すフローチャート、図３１（ａ）は図３０のステップＳ２８２の処理の詳細を説明するための画質変更された読み込まれた原稿例を示す図、図３１（ｂ）は図３１（ａ）の画質変更された場合の試しコピーの一例を示す図、図３２は図２５のステップＳ２５４の連続読み込みシーケンスが起動された際に操作部１５０に表示される画面例を示す図である。
【０１１５】
本実施の形態では、試しコピーを連続読み込みモードに応用した場合について説明する。連続読み込みモードは、複数の原稿を連続して読み込み、全ての読み込み終了後にプリントを開始するモードである。本モードは、図１２の応用モード設定画面に表示される連続読込モードキー９０１を押下することよって設定される。
【０１１６】
まず、本実施の形態におけるアイドル制御について図２５および図２６を参照しながら説明する。ここで、本実施の形態におけるアイドル制御においては、ステップＳ２４１〜ステップＳ２５２までの処理が、上記第１の実施の形態のアイドル制御（図５に示す）のステップＳ５１〜ステップＳ６２までの処理と同じであり、ステップＳ２５３以降の処理が異なる。よって、ここでは、同じ処理の流れの部分の説明は割愛し、異なる部分の説明を行う。
【０１１７】
本実施の形態のアイドル制御では、図２５に示すように、ステップＳ２５２でスタートキー６０７が押下されたと判定されると、図２６のステップＳ２５３へ進み、連続読み込みモードが設定されているか否かを判定する。ここで、連続読み込みモードが設定されていると判定された場合は、ステップＳ２５４において、連続読み込みシーケンスを起動する。
【０１１８】
上記連続読み込みシーケンスでは、図２７に示すように、まずステップＳ２６１において、操作部制御タスクに読み込み動作中であることを通知する。これにより、操作部１５０のＬＣＤ６００には、図３２に示すように、読み込み中であることを示すメッセージが表示される。続くステップＳ２６２では、１枚の原稿画像の読み込み動作を行う。ここで、厚板原稿の場合はスキャナがスキャンし、フィーダ原稿の場合は、フィーダを駆動し画像を読み取ったあと原稿交換を行う。そして、ステップＳ２６３において、積載されている全ての原稿の読み取りが終了したか否かを判定する。厚板原稿の場合は、常に一回の読み取りとなるので、１枚の原稿の読み取りが終了すると、ステップ２６４へ進む。フィーダ原稿の場合は、フィーダに積載された1束の原稿全ての読み取りが終了するまで、読み込み動作が継続され、その読み取りが終了すると、ステップＳ２６４へ進む。
【０１１９】
ステップＳ２６４では、操作部制御タスクへ連続読み取りの中間状態に遷移したことを伝え、続くステップＳ２６５で、連続読み取りの中間状態へ移行する。このとき、操作部１５０には、図２８に示すような画面が表示される。
【０１２０】
次いで、ステップＳ２６６において、図２８の示す画面上で中止キー１００３が押下されたか否かを判定する。ここで、中止キー１００３が押下されたと判定された場合は、ステップＳ２７４において、中止情報を設定し、このサブルーチン終了後に各タスクが終了動作に移行するようにする。
【０１２１】
上記ステップＳ２６６で中止キー１００３が押下されていないと判定された場合は、ステップＳ２６７において、両面原稿キー１００１が押下された否かを判定する。すなわち、原稿の読み取り設定が両面読み取りまたは片面読み取りのいずれに切り替えられたかを判定する。ここで、両面原稿キー１００１が押下されたと判定された場合は、ステップＳ２６８において、両面原稿読み取りモードの再設定を行い、そしてステップＳ２６９へ進む。これに対し、両面原稿キー１００１が押下されていないと判定された場合は、上記ステップＳ２６８をスキップしてステップＳ２６９へ進む。
【０１２２】
ステップＳ２６９では、図２８の画面上での原稿タイプキー１０００、濃度キー１００５の押下の有無に応じて原稿画質の変更が行われたか否かを判定する。ここで、原稿画質の変更とは、原稿タイプ、濃度の変更をいう。図２８の画面上で原稿タイプキー１０００が押下されると、図２９に示すような原稿タイプ設定ポップアップ１００４が表示され、原稿タイプ設定ポップアップ１００４を用いて文字、文字写真、印刷写真、印画紙写真などの原稿タイプの設定が行われる。原稿タイプキー１０００と濃度キー１００５を操作することによって所望の画質を得ることができる。
【０１２３】
上記ステップＳ２６９で原稿画質の変更が行われたと判定された場合は、ステップＳ２７０において、原稿画質の再設定を行い、続くステップＳ２７１で、その原稿ページから画質設定が変更されたマーキング情報を設定し、これを保持する。そして、ステップＳ２７２へ進む。これに対し、上記ステップＳ２６９で原稿画質の変更が行われていないと判定された場合は、上記ステップＳ２７０およびＳ２７１をスキップしてステップＳ２７２へ進む。
【０１２４】
ステップＳ２７２では、読み込み終了キー１００２が押下されたか否かを判定し、読み込み終了キー１００２が押下された場合は、本処理を終了する。これに対し、読み込み終了キー１００２が押下されていないと判定された場合は、ステップＳ２７３において、操作部１５０のスタートキー６０７が押下されたか否かを判定する。ここで、スタートキー６０７が押下されていないと判定された場合は、上記ステップＳ２６６へ戻り、スタートキー６０７が押下されたと判定された場合は、上記ステップＳ２６１へ戻り、再び読み込み動作を開始する。
【０１２５】
ここで、上記ステップＳ２６６〜ステップＳ２７４は、連続読み込みの中間状態で主に操作部制御タスクで行われる処理である。
【０１２６】
このようにして、ステッ２５４の連続読み込みが終了すると、ステップＳ２５５において、コピーシーケンスを起動する。ここで起動されるシーケンスの内容は、図８のステップＳ８１から始まる処理と同等であるので、その詳細な説明については省略する。そして、ここでは、上記第１の実施の形態における自動ページ算出方法（図１３に示す）に対し、本実施の形態で特徴とする部分についてのみを説明する。
【０１２７】
自動ページ算出では、図３０に示すように、まずステップＳ２８１において、連続読み込みモードが設定されているか否かを判定し、連続読み込みでなければ、本処理を終了する。これに対し、連続読み込みモードが設定されていると判定された場合は、ステップＳ２８２において、上述した手法でマーキングされた原稿画質設定の変更ページを算出し、この部分の印刷を行うように設定する。そして、本処理を終了する。
【０１２８】
上記ステップＳ２８２の処理の詳細を説明すると、例えば、図３１（ａ）に示すように、読み込んだ原稿をＡ〜Ｌとし、異なる網掛けがしてある部分は異なる画質設定がされているものとする。ここで、ある画質設定で原稿Ａ，Ｂ，Ｃを読み込んだが、次の原稿Ｄ，Ｅに対しては異なる画質設定がされたとする。この場合、ユーザが画質設定変更を行った部分の確認を望むと推定されるので、図３１（ｂ）に示すように、先頭の原稿Ａの次に画質変更された先頭の原稿Ｄを試しコピーするように設定する。同様に原稿Ｆ，Ｋも試しコピーの対象とする。
【０１２９】
以上によれば、ユーザは画質変更を行った部分のみの印字をすることで、部分試しコピーにより設定内容を素早く確認することができる。
【０１３０】
本実施の形態では、試しコピーを行う領域の決定を、連続読み取りの中間状態において画質設定変更がされた場合のみに行うが、これに限定されることはなく、例えば両面読み取りなど他のモードに変更された場合についても、試しコピーを行う条件とすることも考えられる。また、特に設定変更されなくても連続読み取りの中間状態の次から始まるページを常に試しコピーの対象とすることも可能であるが、これらについての制御は、本実施の形態から容易に類推可能であるので、その説明は省略する。
【０１３１】
本実施の形態では、理解を容易にするため特に連続読み取りモードと関係する部分について述べたが、これと第１の実施の形態を組み合わせてもよいことはいうまでもない。
【０１３２】
上記各実施の形態では、本発明をコピーに応用した例を示したが、本発明はこれに限定されない。例えば、デジタル複写機においては近年ボックス機能なるものが考案されている。これはスキャナ、または外部機器から転送されてくる画像データを画像メモリ内に永続的に保存しておき、それを印字しようとするときに随時印字できるように提供したものである。このボックスのデータの印字に対して、試しプリントを適用することができる。
【０１３３】
また、ＦＡＸデータを受信しそれをメモリに一旦保存し、ユーザの操作によって読み出してプリントする場合にも、試しプリントを適用することができる。
【０１３４】
このように本発明はメモリに貯えられた画像を読み出して印字を行い、読み出す毎に所定のモード変更が可能な機器全てに対しての応用が可能である。
【０１３５】
なお、本発明の目的は、前述した各実施の形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施の形態の機能を実現することになり、そのプログラムコードを記憶した記憶媒体は本発明を構成することになる。また、コンピュータが読み出したプログラムコードを実行することにより、前述した実施の形態の機能が実現されるだけでなく、そのプログラムコードの指示に基づき、コンピュータ上で稼働しているオペレーティングシステム（ＯＳ）などが実際の処理の一部または全部を行い、その処理によって前述した実施の形態の機能が実現される場合も含まれることはいうまでもない。
【０１３６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施の形態の機能が実現される場合も含まれることはうまでもない。
【図面の簡単な説明】
【０１３７】
【図１】本発明の第１の実施の形態に係る画像入出力システムの全体構成を示すブロック図である。
【図２】図１の画像入出力システムにおけるリーダ装置およびプリンタ装置の構成を示す断面図である。
【図３】図１の画像入出力システムの操作部を示す図である。
【図４】図３の操作部１５０およびタッチパネル付きＬＣＤ６００の制御タスクを示すフローチャートである。
【図５】図４のステップＳ４２のアイドル制御の手順を示すフローチャートである。
【図６】図３の操作部１５０のＬＣＤ６００に表示されるアイドル状態時の画面例を示す図である。
【図７】図５のステップＳ６０の試し枚数設定の画面例を示す図である。
【図８】図５のステップＳ６３のコピーシーケンスを示すフローチャートである。
【図９】図５のステップＳ６１の試しコピーモードオン時における試しコピーキー５００の反転表示状態を示す図である。
【図１０】図３の操作部のＬＣＤ６００に表示される試しコピー動作時の画面例を示す図である。
【図１１】図８のステップＳ８４の試しコピー動作の手順を示すフローチャートである
【図１２】図６の画面上で応用モードキー５０３を押下することにより表示される応用モード設定画面例を示す図である。
【図１３】図１１のステップＳ１１５の自動ページ算出処理の手順を示すフローチャートである。
【図１４】合紙モードによる出力ページ間に合紙を挿入した例を模式的に示す図である。
【図１５】（ａ）は両面モードで読み取られる原稿の一例を示す図、（ｂ）は左右開き両面モード時の試しコピー例を示す図、（ｃ）は上下開き両面モード時の試しコピー例を示す図である。
【図１６】試しコピーの自動ページ算出における設定ページ数を予め設定可能な画面例を示す図である。
【図１７】自動ページ算出におけるステイプルモード時の試し印刷枚数の設定根拠を模式的に示す図である。
【図１８】自動ページ算出における縮小レイアウトモード時の試し印刷枚数の設定根拠を模式的に示す図である。
【図１９】（ａ）は表紙モードによる出力例を示す図、（ｂ）は表紙モードが設定されている両面モードの場合の試しコピーの結果例を示す図、（ｃ）は表紙モードが設定されているステイプルモードの場合の試しコピーの結果例を示す図、（ｄ）は表紙モードが設定されている場合の試しコピーの結果例を示す図である。
【図２０】図４のステップＳ４６の試しコピー中間状態制御を示すフローチャートである。
【図２１】図４のステップＳ４６の試しコピー中間状態制御を示すフローチャートである。
【図２２】図４のステップＳ４６の試しコピー中間状態制御時に表示される画面例を示す図である。
【図２３】図２０のステップＳ２０２で設定変更の要求が出されたと判定された際に表示される再設定画面例を示す図である。
【図２４】図２０のステップＳ２０３で設定変更があると判定された際に表示される画面例を示す図である。
【図２５】本発明の第２の実施の形態に係る画像入出力システムにおけるアイドル制御の手順を示すフローチャートである。
【図２６】本発明の第２の実施の形態に係る画像入出力システムにおけるアイドル制御の手順を示すフローチャートである。
【図２７】図２６の連続読み込みの手順を示すフローチャートである。
【図２８】図２７のステップＳ２６５で連続読み取りの中間状態へ移行した際に操作部１５０に表示される画面例を示す図である。
【図２９】図２８の画面上で原稿タイプキーが押下された際に表示される原稿タイプ設定ポップアップの例を示す図である。
【図３０】自動ページ算出の手順を示すフローチャートである。
【図３１】（ａ）は図３０のステップＳ２８２の処理の詳細を説明するための画質変更された読み込まれた原稿例を示す図、（ｂ）は図３１（ａ）の画質変更された場合の試しコピーの一例を示す図である。
【図３２】図２５のステップＳ２５４の連続読み込みシーケンスが起動された際に操作部１５０に表示される画面例を示す図である。
【符号の説明】
【０１３８】
１００  画像入出力システム
１１０  制御装置
１５０  操作部
１６０  画像蓄積部
２００  リーダ装置
２３０  センサ
２５０  原稿給紙ユニット
３００  プリンタ装置
３１０  給紙ユニット
３３０  排紙ユニット
３２３  感光ドラム
３２５  定着部
４０１，４０２  ホストコンピュータ
５００  フィニッシャユニット
【図１】
2008245322.tif 000003
【図２】
2008245322.tif 000004
【図３】
2008245322.tif 000005
【図４】
2008245322.tif 000006
【図５】
2008245322.tif 000007
【図６】
2008245322.tif 000008
【図７】
2008245322.tif 000009
【図８】
2008245322.tif 000010
【図９】
2008245322.tif 000011
【図１０】
2008245322.tif 000012
【図１１】
2008245322.tif 000013
【図１２】
2008245322.tif 000014
【図１３】
2008245322.tif 000015
【図１４】
2008245322.tif 000016
【図１５】
2008245322.tif 000017
【図１６】
2008245322.tif 000018
【図１７】
2008245322.tif 000019
【図１８】
2008245322.tif 000020
【図１９】
2008245322.tif 000021
【図２０】
2008245322.tif 000022
【図２１】
2008245322.tif 000023
【図２２】
2008245322.tif 000024
【図２３】
2008245322.tif 000025
【図２４】
2008245322.tif 000026
【図２５】
2008245322.tif 000027
【図２６】
2008245322.tif 000028
【図２７】
2008245322.tif 000029
【図２８】
2008245322.tif 000030
【図２９】
2008245322.tif 000031
【図３０】
2008245322.tif 000032
【図３１】
2008245322.tif 000033
【図３２】
2008245322.tif 000034